(57)【要約】    【課題】  記録される画像の画像情報の受信が中断されることを防止することができる記録装置を提供する。    【解決手段】  ＭＦＰ１において、記録装置４７が、パソコン画像記録動作指示装置４２、複写画像記録動作指示装置４３、及びＦＡＸ画像記録動作指示装置の１の記録動作指示装置の指示する動作モードに基づいて画像の記録をする場合に、手差し給紙口１２又はカセット給紙口１３の内、上記１の記録動作指示装置の指示する給紙口でない他の給紙口に記録紙がセットされているときに、上記他の給紙口にセットされている記録紙が取り除かれる。【選択図】      図３
2006140851.tif 000002
【特許請求の範囲】
【請求項１】
複数の給紙口を有し該複数の給紙口の各々から記録紙を給紙する給紙手段と、該複数の給紙口の各々から給紙される記録紙の共通搬送路を有する搬送手段と、前記給紙手段の複数の給紙口から１つの給紙口を指示する給紙口指示手段と、前記記録紙に画像を記録する記録手段と、オペレータへ装置状態を報知する報知手段とを備え、前記給紙手段は前記給紙口指示手段により指示された給紙口から前記記録紙を給紙する記録装置において、
前記記録手段が前記画像を前記記録紙に記録をする場合において、前記給紙口指示手段の指示する給紙口でない他の給紙口に前記記録紙がセットされているときに、前記他の給紙口にセットされている記録紙の取り除きを指示する制御手段を備えることを特徴とする記録装置。
【請求項２】
前記制御手段が前記他の給紙口にセットされている記録紙の取り除き指示を禁止することができるスイッチを備えることを特徴とする請求項１記載の記録装置。
【請求項３】
手差し給紙口及びカセット給紙口を有する給紙手段と、当該手差し給紙口及びカセット給紙口に記録紙がセットされているか否かを夫々検知する手差し給紙口記録紙検知手段及びカセット給紙口記録紙検知手段と、前記手差し給紙口及びカセット給紙口に共通の給紙ローラと、前記記録紙に画像を記録する記録手段と、前記画像の情報をメモリに蓄えることが可能な代行受信手段と、前記手差し給紙口と前記カセット給紙口の一方を指示する給紙口指示手段と、オペレータへ装置状態を報知する報知手段とを備える記録装置において、
前記手差し給紙口に前記記録紙がセットされている状態で、前記記録手段が前記画像の前記記録紙への記録を行う場合、前記報知手段によってオペレータに前記手差し給紙口にセットされている記録紙を取り除くことを指示する手差し給紙口記録紙取り除き指示手段を有することを特徴とする記録装置。
【請求項４】
前記手差し給紙口にセットされている記録紙を排出する手差し給紙口記録紙排出手段を備えることを特徴とする請求項３記載の記録装置。
【請求項５】
セットされているタイマ値の時間経過を計測するタイマを備え、前記手差し給紙口記録紙取り除き指示手段が前記手差し給紙口の記録紙を取り除くことを指示した後、前記タイマが所定時間のタイマ値を計測中に、前記記録手段が前記画像の前記記録紙への記録を行わない場合に、前記手差し給紙口記録紙排出手段は、前記所定時間経過後に前記手差し給紙口にセットされている記録紙を排出し、前記手差し給紙口記録紙取り除き指示手段は、前記報知手段によってオペレータに前記手差し給紙口にセットされている記録紙を排出した旨の報知をすることを特徴とする請求項４記載の記録装置。
【請求項６】
前記手差し給紙口記録紙取り除き指示手段が前記手差し給紙口記録紙取り除き指示を行った後、又は前記手差し給紙口記録紙排出手段が前記手差し給紙口にセットされている記録紙を排出した後、前記手差し給紙口記録紙検知手段が前記手差し給紙口に前記記録紙がセットされていないことを検知した場合は、前記手差し給紙口記録紙取り除き指示手段は、前記手差し給紙口記録紙取り除き指示を解除することを特徴とする請求項５記載の記録装置。
【請求項７】
前記タイマにセットする前記タイマ値として複数のタイマ値をセットできるタイマ値セット手段を備えることを特徴とする請求項５又は６記載の記録装置。
【請求項８】
一定の時間帯において、前記記録手段が前記画像の前記記録紙への記録を行う場合は、前記タイマ値セット手段は、前記複数のタイマ値の内、所定のタイマ値より短いタイマ値をセットすることを特徴とする請求項７記載の記録装置。
【請求項９】
前記手差し給紙口記録紙取り除き指示手段が前記報知手段によってオペレータに前記手差し給紙口にセットされている記録紙を取り除くことを指示すること、前記手差し給紙口記録紙排出手段が前記手差し給紙口にセットされている記録紙を排出すること、前記タイマが前記セットされているタイマ値の時間経過を計測すること、及び前記タイマ値セット手段が前記タイマにセットする前記タイマ値として複数のタイマ値をセットすることを禁止することができるスイッチを備えることを特徴とする請求項３乃至８のいずれか１項に記載の記録装置。
【請求項１０】
手差し給紙口及びカセット給紙口を有する給紙手段と、当該手差し給紙口及びカセット給紙口に記録紙がセットされているか否かを夫々検知する手差し給紙口記録紙検知手段及びカセット給紙口記録紙検知手段と、前記手差し給紙口及びカセット給紙口に共通の給紙ローラと、前記手差し給紙口記録紙検知手段により前記記録紙が検知された場合に前記給紙ローラを所定時間回転させて前記手差し給紙口に前記記録紙を保持する手差し給紙口記録紙保持手段と、前記記録紙に画像を記録する記録手段と、前記画像の情報をメモリに蓄えることが可能な代行受信手段と、前記手差し給紙口と前記カセット給紙口の一方を指示する給紙口指示手段と、オペレータへ装置状態を報知する報知手段とを備える記録装置において、
前記報知手段によってオペレータに前記手差し給紙口にセットされている記録紙を取り除くことを指示する手差し給紙口記録紙取り除き手段を有し、前記記録手段が前記画像を前記記録紙に記録している間に、前記手差し給紙口記録紙検知手段が前記記録紙を検知した場合は、前記給紙手段は前記記録紙の給紙動作を停止し、前記手差し給紙口記録紙取り除き指示手段は、前記報知手段によりオペレータに手差し給紙口記録紙取り除き指示を行い、前記代行受信手段は、前記手差し給紙口にセットされている記録紙が取り除かれるまで前記画像の情報をメモリに蓄え、前記手差し給紙口記録紙取り除き指示手段は、前記手差し給紙口にセットされている記録紙が取り除かれたとき、前記手差し給紙口記録紙取り除き指示を解除し、前記給紙手段は前記記録紙の給紙動作を再開することを特徴とする記録装置。
【請求項１１】
セットされているタイマ値の時間経過を計測するタイマと、前記手差し給紙口にセットされている記録紙を排出する手差し給紙口記録紙排出手段とを備え、当該手差し給紙口記録紙排出手段は、前記タイマが所定時間のタイマ値の経過後に手差し給紙口記録紙を排出し、前記手差し給紙口記録紙取り除き手段は、前記手差し給紙口記録紙の排出完了後に前記手差し給紙口記録紙取り除き指示を解除し、前記給紙手段は前記記録紙の給紙動作を再開することを特徴とする請求項１０記載の記録装置。
【請求項１２】
前記タイマが前記セットされているタイマ値の時間経過を計測すること、及び前記手差し給紙口記録紙排出手段が前記手差し給紙口にセットされている記録紙を排出することを禁止することができるスイッチを備えることを特徴とする請求項１０又は１１記載の記録装置。
【請求項１３】
複数の給紙口を有し該複数の給紙口の各々から記録紙を給紙する給紙手段と、該複数の給紙口の各々から給紙される記録紙の共通搬送路を有する搬送手段と、前記給紙手段の複数の給紙口から１つの給紙口を指示する給紙口指示手段と、前記記録紙に画像を記録する記録手段と、オペレータへ装置状態を報知する報知手段とを備え、前記給紙手段は前記給紙口指示手段により指示された給紙口から前記記録紙を給紙する記録装置の制御方法において、
前記記録手段が前記画像を前記記録紙に記録をする場合において、前記給紙口指示手段の指示する給紙口でない他の給紙口に前記記録紙がセットされているときに、前記他の給紙口にセットされている記録紙の取り除きを指示することを特徴とする記録装置の制御方法。
【請求項１４】
手差し給紙口及びカセット給紙口を有する給紙手段と、当該手差し給紙口及びカセット給紙口に記録紙がセットされているか否かを夫々検知する手差し給紙口記録紙検知手段及びカセット給紙口記録紙検知手段と、前記手差し給紙口及びカセット給紙口に共通の給紙ローラと、前記記録紙に画像を記録する記録手段と、前記画像の情報をメモリに蓄えることが可能な代行受信手段と、前記手差し給紙口と前記カセット給紙口の一方を指示する給紙口指示手段と、オペレータへ装置状態を報知する報知手段とを備える記録装置の制御方法において、
前記手差し給紙口に前記記録紙がセットされている状態で、前記記録手段が前記画像の前記記録紙への記録を行う場合、前記報知手段によってオペレータに前記手差し給紙口にセットされている記録紙を取り除くことを指示することを特徴とする記録装置の制御方法。
【発明の詳細な説明】
【技術分野】
【０００１】
本発明は、搬送路を共有する複数の給紙口を有する記録装置及び該記録装置の制御方法に関するものである。
【背景技術】
【０００２】
近年、複写機能、パーソナルコンピュータ（パソコン）から出力された画像データ等のプリンタ機能、ファクシミリ機能を１つの記録装置で行う、いわゆるマルチファンクション機（ＭＦＰ）の発達が目覚しい。
【０００３】
ＭＦＰは、複写モード、プリンタモード、及びファクシミリモード（ＦＡＸモード）において記録紙への画像記録が可能である。ＭＦＰは通常、記録紙を給紙するための給紙口を複数備えている。一般的に、この複数の給紙口の１つは、画像記録の都度、オペレータが所望の種類の記録紙を選んでセットすることができる給紙口、いわゆる手差し給紙口であり、他の給紙口は、比較的多数量の記録紙を収容可能なカセットタイプの給紙口、いわゆるカセット給紙口である。
【０００４】
一方、ＭＦＰは、画像形成部を小型化すべく、例えば各給紙口から給紙される記録紙の搬送路を共通する１つのものにして、給紙のため給紙ローラを１つのローラとし、また排紙のための排紙ローラを１つのローラとするものが知られている。これは、ＭＦＰは小スペースの事業所に設置されることが多く、このため、本体の小型化が求められているからである。
【０００５】
従来、ＭＦＰでは、例えば、プリンタモードにおいて、パソコンから送信される画像情報を記録している間は、ＦＡＸから送信されたＦＡＸ画像情報の記録をすることはできない。このような場合には、受信したＦＡＸ画像情報が代行受信メモリに蓄えられ、プリンタモードでの記録が終了すると、代行受信メモリから画像情報を読み出して画像を記録紙に記録する。
【０００６】
上述したように、カセット給紙口と手差し給紙口から給紙された記録紙の搬送路が共通になっているＭＦＰにおいては、手差し記録紙が手差し給紙口にセットされて共通搬送路に存在している場合は、カセット給紙口からカセット記録紙を給紙することができない。
【０００７】
また、ＦＡＸ通信においては、受信側がその記録紙の用紙サイズを予め送信側に伝え、送信側はその用紙サイズに合わせて画像を送信するように通信手順が規定されている。
【０００８】
また、手差し記録紙は、画像記録の都度オペレータが用紙サイズを設定するので、カセット記録紙の用紙サイズと必ずしも一致しない。
【０００９】
手差し記録紙が共通搬送路に存在している場合、上述のように手差し記録紙とカセット記録紙の用紙サイズが一致していないときがあるので、ＦＡＸ画像情報を受信しても、カセット記録紙をカセット給紙口から搬送することができず、ＦＡＸ画像情報に対応する受信画像をカセット記録紙に記録することができない。
【００１０】
従来のＭＦＰにおいては、このような場合には、受信したＦＡＸ画像情報が代行受信メモリに蓄積され、カセット給紙口からの給紙が可能になるまでＦＡＸモードによる画像記録を待機していた（例えば、特許文献１参照）。
【特許文献１】特開平１０−２００６８６号公報
【発明の開示】
【発明が解決しようとする課題】
【００１１】
しかしながら、ＦＡＸ画像情報は代行受信メモリに蓄積されるが、受信するＦＡＸ画像情報の容量が代行受信メモリの蓄積可能容量より大きいときは、手差し記録紙が共通搬送路に存在している状態が続くと、代行受信メモリが、ＦＡＸ画像情報の全てを蓄積することができなくなる。
【００１２】
従って、送信されてくるＦＡＸ画像情報を受信することができなくなり、ＦＡＸ画像情報の受信が中断されるという問題が発生していた。
【００１３】
本発明の目的は、記録される画像の画像情報の受信が中断されることを防止することができる記録装置及び該記録装置の制御方法を提供することにある。
【課題を解決するための手段】
【００１４】
上記目的を達成するために、請求項１記載の記録装置は、複数の給紙口を有し該複数の給紙口の各々から記録紙を給紙する給紙手段と、該複数の給紙口の各々から給紙される記録紙の共通搬送路を有する搬送手段と、前記給紙手段の複数の給紙口から１つの給紙口を指示する給紙口指示手段と、前記記録紙に画像を記録する記録手段と、オペレータへ装置状態を報知する報知手段とを備え、前記給紙手段は前記給紙口指示手段により指示された給紙口から前記記録紙を給紙する記録装置において、前記記録手段が前記画像を前記記録紙に記録をする場合において、前記給紙口指示手段の指示する給紙口でない他の給紙口に前記記録紙がセットされているときに、前記他の給紙口にセットされている記録紙の取り除きを指示する制御手段を備えることを特徴とする。
【００１５】
請求項２記載の記録装置は、請求項１記載の記録装置において、前記制御手段が前記他の給紙口にセットされている記録紙の取り除き指示を禁止することができるスイッチを備えることを特徴とする。
【００１６】
請求項３記載の記録装置は、手差し給紙口及びカセット給紙口を有する給紙手段と、当該手差し給紙口及びカセット給紙口に記録紙がセットされているか否かを夫々検知する手差し給紙口記録紙検知手段及びカセット給紙口記録紙検知手段と、前記手差し給紙口及びカセット給紙口に共通の給紙ローラと、前記記録紙に画像を記録する記録手段と、前記画像の情報をメモリに蓄えることが可能な代行受信手段と、前記手差し給紙口と前記カセット給紙口の一方を指示する給紙口指示手段と、オペレータへ装置状態を報知する報知手段とを備える記録装置において、前記手差し給紙口に前記記録紙がセットされている状態で、前記記録手段が前記画像の前記記録紙への記録を行う場合、前記報知手段によってオペレータに前記手差し給紙口にセットされている記録紙を取り除くことを指示する手差し給紙口記録紙取り除き指示手段を有することを特徴とする。
【００１７】
請求項４記載の記録装置は、請求項３記載の記録装置において、前記手差し給紙口にセットされている記録紙を排出する手差し給紙口記録紙排出手段を備えることを特徴とする。
【００１８】
請求項５記載の記録装置は、請求項４記載の記録装置において、セットされているタイマ値の時間経過を計測するタイマを備え、前記手差し給紙口記録紙取り除き指示手段が前記手差し給紙口の記録紙を取り除くことを指示した後、前記タイマが所定時間のタイマ値を計測中に、前記記録手段が前記画像の前記記録紙への記録を行わない場合に、前記手差し給紙口記録紙排出手段は、前記所定時間経過後に前記手差し給紙口にセットされている記録紙を排出し、前記手差し給紙口記録紙取り除き指示手段は、前記報知手段によってオペレータに前記手差し給紙口にセットされている記録紙を排出した旨の報知をすることを特徴とする。
【００１９】
請求項６記載の記録装置は、請求項５記載の記録装置において、前記手差し給紙口記録紙取り除き指示手段が前記手差し給紙口記録紙取り除き指示を行った後、又は前記手差し給紙口記録紙排出手段が前記手差し給紙口にセットされている記録紙を排出した後、前記手差し給紙口記録紙検知手段が前記手差し給紙口に前記記録紙がセットされていないことを検知した場合は、前記手差し給紙口記録紙取り除き指示手段は、前記手差し給紙口記録紙取り除き指示を解除することを特徴とする。
【００２０】
請求項７記載の記録装置は、請求項５又は６記載の記録装置において、前記タイマにセットする前記タイマ値として複数のタイマ値をセットできるタイマ値セット手段を備えることを特徴とする。
【００２１】
請求項８記載の記録装置は、請求項７記載の記録装置において、一定の時間帯において、前記記録手段が前記画像の前記記録紙への記録を行う場合は、前記タイマ値セット手段は、前記複数のタイマ値の内、所定のタイマ値より短いタイマ値をセットすることを特徴とする。
【００２２】
請求項９記載の記録装置は、請求項３乃至８のいずれか１項に記載の記録装置において、前記手差し給紙口記録紙取り除き指示手段が前記報知手段によってオペレータに前記手差し給紙口にセットされている記録紙を取り除くことを指示すること、前記手差し給紙口記録紙排出手段が前記手差し給紙口にセットされている記録紙を排出すること、前記タイマが前記セットされているタイマ値の時間経過を計測すること、及び前記タイマ値セット手段が前記タイマにセットする前記タイマ値として複数のタイマ値をセットすることを禁止することができるスイッチを備えることを特徴とする。
【００２３】
請求項１０記載の記録装置は、手差し給紙口及びカセット給紙口を有する給紙手段と、当該手差し給紙口及びカセット給紙口に記録紙がセットされているか否かを夫々検知する手差し給紙口記録紙検知手段及びカセット給紙口記録紙検知手段と、前記手差し給紙口及びカセット給紙口に共通の給紙ローラと、前記手差し給紙口記録紙検知手段により前記記録紙が検知された場合に前記給紙ローラを所定時間回転させて前記手差し給紙口に前記記録紙を保持する手差し給紙口記録紙保持手段と、前記記録紙に画像を記録する記録手段と、前記画像の情報をメモリに蓄えることが可能な代行受信手段と、前記手差し給紙口と前記カセット給紙口の一方を指示する給紙口指示手段と、オペレータへ装置状態を報知する報知手段とを備える記録装置において、前記報知手段によってオペレータに前記手差し給紙口にセットされている記録紙を取り除くことを指示する手差し給紙口記録紙取り除き手段を有し、前記記録手段が前記画像を前記記録紙に記録している間に、前記手差し給紙口記録紙検知手段が前記記録紙を検知した場合は、前記給紙手段は前記記録紙の給紙動作を停止し、前記手差し給紙口記録紙取り除き指示手段は、前記報知手段によりオペレータに手差し給紙口記録紙取り除き指示を行い、前記代行受信手段は、前記手差し給紙口にセットされている記録紙が取り除かれるまで前記画像の情報をメモリに蓄え、前記手差し給紙口記録紙取り除き指示手段は、前記手差し給紙口にセットされている記録紙が取り除かれたとき、前記手差し給紙口記録紙取り除き指示を解除し、前記給紙手段は前記記録紙の給紙動作を再開することを特徴とする。
【００２４】
請求項１１記載の記録装置は、請求項１０記載の記録装置において、セットされているタイマ値の時間経過を計測するタイマと、前記手差し給紙口にセットされている記録紙を排出する手差し給紙口記録紙排出手段とを備え、当該手差し給紙口記録紙排出手段は、前記タイマが所定時間のタイマ値の経過後に手差し給紙口記録紙を排出し、前記手差し給紙口記録紙取り除き手段は、前記手差し給紙口記録紙の排出完了後に前記手差し給紙口記録紙取り除き指示を解除し、前記給紙手段は前記記録紙の給紙動作を再開することを特徴とする。
【００２５】
請求項１２記載の記録装置は、請求項１０又は１１記載の記録装置において、前記タイマが前記セットされているタイマ値の時間経過を計測すること、及び前記手差し給紙口記録紙排出手段が前記手差し給紙口にセットされている記録紙を排出することを禁止することができるスイッチを備えることを特徴とする。
【００２６】
請求項１３記載の記録装置の制御方法は、複数の給紙口を有し該複数の給紙口の各々から記録紙を給紙する給紙手段と、該複数の給紙口の各々から給紙される記録紙の共通搬送路を有する搬送手段と、前記給紙手段の複数の給紙口から１つの給紙口を指示する給紙口指示手段と、前記記録紙に画像を記録する記録手段と、オペレータへ装置状態を報知する報知手段とを備え、前記給紙手段は前記給紙口指示手段により指示された給紙口から前記記録紙を給紙する記録装置の制御方法において、前記記録手段が前記画像を前記記録紙に記録をする場合において、前記給紙口指示手段の指示する給紙口でない他の給紙口に前記記録紙がセットされているときに、前記他の給紙口にセットされている記録紙の取り除きを指示することを特徴とする。
【００２７】
請求項１４記載の記録装置の制御方法は、手差し給紙口及びカセット給紙口を有する給紙手段と、当該手差し給紙口及びカセット給紙口に記録紙がセットされているか否かを夫々検知する手差し給紙口記録紙検知手段及びカセット給紙口記録紙検知手段と、前記手差し給紙口及びカセット給紙口に共通の給紙ローラと、前記記録紙に画像を記録する記録手段と、前記画像の情報をメモリに蓄えることが可能な代行受信手段と、前記手差し給紙口と前記カセット給紙口の一方を指示する給紙口指示手段と、オペレータへ装置状態を報知する報知手段とを備える記録装置の制御方法において、前記手差し給紙口に前記記録紙がセットされている状態で、前記記録手段が前記画像の前記記録紙への記録を行う場合、前記報知手段によってオペレータに前記手差し給紙口にセットされている記録紙を取り除くことを指示することを特徴とする。
【発明の効果】
【００２８】
本発明の記録装置によれば、記録される画像の画像情報の受信が中断されることを防止することができる。
【発明を実施するための最良の形態】
【００２９】
以下、本発明の実施の形態について図面を参照しながら説明する。
【００３０】
図１は、本発明の実施の形態に係る記録装置の概略構成を示す断面図である。
【００３１】
図１に示すように、本発明の実施の形態に係る記録装置としてのＭＦＰ１は、筐体としての本体１１を有し、本体１１の前面（図１において右側）には、手差し給紙口１２が設けられ、下部にはカセット給紙口１３が設けられている。手差し給紙口１２は、本体１１に形成されたオペレータが記録紙を差し込むための開口部１４を備え、記録紙が載置可能な記録紙トレイを有していない。
【００３２】
また、ＭＦＰ１は、本体１１内部に、感光ドラム１５と、感光ドラム１５の下方に配置されて感光ドラム１５とニップ部を形成する転写ローラ１６と、一対の搬送ローラ１７とを備える。感光ドラム１５、転写ローラ１６、及び一対の搬送ローラ１７は、感光ドラム１５と転写ローラ１６との間のニップ部と、搬送ローラ１７のニップ部と、開口部１４とが、本体１１において垂直方向に同じ高さとなるように配設されている。また、ＭＦＰ１は、搬送ローラ１７と開口部１４との間であって開口部１４寄りに配設された手差し記録紙検知センサ１８と、感光ドラム１５と搬送ローラ１７との間に配設された垂直同期検知センサ（ＴＯＰセンサ）１９とを備える。
【００３３】
手差し記録紙検知センサ１８は、手差し記録紙３１がオペレータによって手差し給紙口１２に差し込まれると、手差し記録紙３１が手差し給紙口１２に差し込まれたことを検知する。手差し記録紙検知センサ１８が、手差し記録紙３１が手差し給紙口１２に差し込まれたことを検知すると、搬送ローラ１７が、所定時間回転して手差し記録紙３１をニップ部に噛み込む。このように、ＭＦＰ１は、手差し給紙口１２が記録紙トレイを有していなくても、手差し記録紙３１を保持することができるように構成されている。
【００３４】
搬送ローラ１７に噛み込まれた手差し記録紙３１は、搬送ローラ１７が正回転（図１の矢印の方向に回転）することにより感光ドラム１５方向に搬送され、ＴＯＰセンサ１９が手差し記録紙３１の先端を検知すると、この先端検知に基づいて感光ドラム１５及び転写ローラ１６が回転し、感光ドラム１５に形成された現像剤像が転写ローラ１６によって手差し記録紙３１上に転写され、手差し記録紙３１上に画像が記録され、図示しない排紙口から本体１１外に排出される。
【００３５】
また、ＭＦＰ１は、本体１１内部で、カセット給紙口１３の上部近傍に配設されたカセット給紙ローラ２０と、カセット給紙ローラ２０に近接して配設された給紙路２１と、カセット給紙口１３の上部近傍に配設されてカセット給紙口１３に収容されているカセット記録紙３２の枚数を検出可能な収容カセット記録紙検出センサ２３とを備える。
【００３６】
カセット給紙ローラ２０は、カセット給紙口１３に収容されているカセット記録紙３２を１枚ずつ給紙路２１に給紙し、給紙路２１を介して搬送ローラ１７に搬送する。
【００３７】
給紙路２１は、搬送ローラ１７及び手差し給紙口１２の間の通路と、カセット給紙口１３との間を連絡する。従って、搬送ローラ１７と手差し給紙口１２との間の通路の一部は、手差し給紙口１２から給紙された手差し記録紙３１と、カセット給紙口１３から給紙されたカセット記録紙３２とが共に搬送される共通搬送路２２をなす。
【００３８】
カセット給紙ローラ２０によってカセット給紙口１３から給紙路２１に給紙され、搬送ローラ１７に搬送されたカセット記録紙３２は、手差し記録紙３１と同様に搬送ローラ１７によって感光ドラム１５，転写ローラ１６に搬送されて画像が記録され、図示しない排紙口から本体１１外に排出される。
【００３９】
図２は、ＭＦＰ１の電気的構成の概略を示すブロック図である。
【００４０】
ＭＦＰ１は、図２に示すように、外部パソコン６１にネットワーク回線６２を介して通信可能に接続されたパソコン画像記録動作指示装置４２と、原稿の画像を読み取る読取装置５１を備える複写画像記録動作指示装置４３と、外部のＦＡＸ６３に電話回線６４、ＮＣＵ５０、及びモデム４９を介して通信可能に接続されたＦＡＸ受信画像記録動作指示装置４４と、ＦＡＸ受信画像記録動作指示装置４４に接続された代行受信メモリ４５と、図１に示す手差し給紙口１２、カセット給紙口１３、感光ドラム１５、転写ローラ１６等を備える記録装置４７と、オペレーションパネル４８と、パソコン画像受信動作指示装置４２、複写画像記録動作指示装置４３、ＦＡＸ受信画像記録動作指示装置４４、代行受信メモリ４５、記録装置４７、及びオペレーションパネル４８に接続されており、各部を制御するメインコントローラ４６とを備える。
【００４１】
また、メインコントローラ４６には、手差し記録紙検知センサ１８、ＴＯＰセンサ１９、及び収容カセット記録紙検出センサ２３が接続されており、メインコントローラ４６は、手差し記録紙検知センサ１８、ＴＯＰセンサ１９、及び収容カセット記録紙検出センサ２３の検出結果を検知することができる。
【００４２】
パソコン画像記録動作指示装置４２、複写画像記録動作指示装置４３、及びＦＡＸ受信画像記録動作指示装置４４は、メインコントローラ４６の制御のもと、プリンタモード、複写モード、及びＦＡＸモードによる画像記録動作を夫々実行し、記録装置４７によってパソコン６１からネットワーク回線６２を介して受信した画像情報（パソコン画像情報）、読取装置５１によって読み取った原稿画像の画像情報（原稿画像情報）、及びＦＡＸ６３から受信した画像（ＦＡＸ画像情報）に対応する画像を夫々記録紙に記録する。
【００４３】
オペレーションパネル４８は、図示しない表示パネルを備え、ＭＦＰ１における各種動作に関する情報をオペレータに報知すべく各種情報を表示パネルに表示する。また、オペレーションパネル４８は、操作パネル等の図示しない操作部を備え、オペレータはこの操作部を介して操作をすることによりＭＦＰ１の動作に関する各種設定をすることができる。
【００４４】
メインコントローラ４６は、オペレータのオペレーションパネル４８での操作や予めなされた設定等に基づいて、プリンタモード、複写モード、及びＦＡＸモードの画像記録モードの切り換えを行い、各モードによって画像記録動作を実行する。例えば、オペレータがオペレーションパネル４８によって、ＦＡＸモードによる画像記録動作を他のモードによる画像記録動作より優先して実行するように設定している場合は、ＭＦＰ１がプリンタモード又は複写モードで画像記録動作を実行中にＦＡＸ受信画像記録動作指示装置４４がＦＡＸ６３からＦＡＸ画像情報を受信したときは、プリンタモード又は複写モードによる実行中の画像記録動作の終了後、動作モードをＦＡＸモードに切り換え、ＦＡＸモードにより画像記録動作を実行する。
【００４５】
ＭＦＰ１は、従来のＭＦＰと同様に、図１に示すようにカセット記録紙３２と異なる用紙サイズの手差し記録紙３１が共通搬送路２２に存在している状態において、ＦＡＸ受信画像記録動作指示装置４４がＦＡＸ６３からＦＡＸ画像情報を受信した場合、この受信したＦＡＸ画像情報の画像がカセット記録紙３２の用紙サイズに合わせて送信されてきたものであったとき、カセット記録紙３２をカセット給紙口１３から感光ドラム１５に搬送することができず、ＦＡＸ画像情報の画像をカセット記録紙３２に記録することができない。
【００４６】
この場合ＭＦＰ１は、従来のＭＦＰと同様に、メインコントローラ４６が手差し記録紙検知センサ１８の検出結果に基づいて、手差し記録紙３１が共通搬送路２２に存在しているか否かを判別し、手差し記録紙３１が共通搬送路２２に存在している場合、メインコントローラ４６は、ＦＡＸ受信画像記録動作指示装置４４を制御して、受信したＦＡＸ画像情報を代行受信メモリ４５に送信し、代行受信メモリ４５に各画像情報を蓄えて、カセット給紙口１３からのカセット記録紙３２の給紙が可能になり、記録装置４７のカセット記録紙３２への画像記録が可能になるまでＦＡＸモードによる画像記録を待機する。
【００４７】
ここで、従来のＭＦＰにおいては、前述したように、ＦＡＸ受信画像記録動作指示装置４４がＦＡＸ６３から受信するＦＡＸ画像情報の容量が、代行受信メモリ４５の蓄積可能容量より大きい場合には、手差し記録紙３１が共通搬送路２２に存在している状態が長く続いたとき、代行受信メモリ４５がＦＡＸ画像情報を全て蓄積することができず、ＦＡＸ受信画像記録動作指示装置４４は、ＦＡＸ画像情報を受信することができなくなり、ＦＡＸ画像情報の受信が中断されるという問題が発生していた。
【００４８】
そこで、本実施の形態に係るＭＦＰ１は、後述する図３〜図１２の記録紙排紙処理を実行することにより、上述の従来のＭＦＰの問題を解決している。
【００４９】
尚、本実施の形態に係るＭＦＰ１は、ＦＡＸモードにおいてカセット記録紙３２に画像記録を行うように設定されているものとする。
【００５０】
以下に本発明の実施に係るＭＦＰ１において実行される記録紙排紙処理について説明する。尚、本記録紙排紙処理は、メインコントローラ４６によって実行される。
【００５１】
図３は、ＭＦＰ１において実行される第１実施例としての記録紙排紙処理のフローチャートである。
【００５２】
記録紙排紙処理の第１実施例としての本処理は、まずメインコントローラ４６が、パソコン画像記録動作指示装置４２、複写画像記録動作指示装置４３、又はＦＡＸ受信画像記録動作指示装置４４から、カセット給紙口１３からのカセット記録紙３２の給紙の要求があるか否かを判別する（ステップＳ１）。カセット給紙口１３からのカセット記録紙３２の給紙要求がない場合は本処理を終了する。一方、カセット記録紙３２の給紙要求がある場合は、手差し記録紙３１が手差し給紙口１２に差し込まれているか否かを判別する（ステップＳ２）。ステップＳ２における判別は、手差し記録紙検知センサ１８がＯＮ状態か否かを判別することにより行われる。
【００５３】
手差し記録紙検知センサ１８がＯＮ状態であって手差し記録紙３１が手差し給紙口１２に差し込まれている場合は、オペレーションパネル４８に手差し記録紙３１を手差し給紙口１２から取り除く旨を示す情報を表示して、オペレータに手差し記録紙３１を手差し給紙口１２から取り除くよう指示する（ステップＳ３）。
【００５４】
次いで、手差し記録紙３１が手差し給紙口１２から取り除かれるまで待機し（ステップＳ４）、手差し記録紙３１が手差し給紙口１２から取り除かれると、即ち、手差し記録紙検知センサ１８がＯＦＦ状態となると、カセット給紙ローラ２０を駆動してカセット給紙口１３からカセット記録紙３２を給紙し（ステップＳ５）、本処理を終了する。
【００５５】
一方、ステップＳ２において、手差し記録紙検知センサ１８がＯＦＦ状態であって手差し記録紙３１が手差し給紙口１２に差し込まれていない場合は、ステップＳ５以降の処理を実行する。
【００５６】
本処理によれば、ＦＡＸ受信画像記録動作指示装置４４が、ＦＡＸモードによって画像記録動作を実行する場合に、手差し記録紙３１が手差し給紙口１２に差し込まれていて、手差し記録紙３１が共通搬送路２２に存在していても、オペレータに対して手差し記録紙３１を手差し給紙口１２から取り除くように指示するので（ステップＳ３）、代行受信メモリ４５の容量が足りなくなって受信した画像情報が記憶できなくなる前に手差し記録紙３１が共通搬送路２２から取り除かれるようにすることができる。
【００５７】
従って、手差し記録紙３１が共通搬送路２２に存在している状態が長く続き、代行受信メモリ４５が受信している画像情報の全てを蓄積することができず、ＦＡＸ受信画像記録動作指示装置４４が、送信されてくるＦＡＸ画像情報を受信することができなくなり、ＦＡＸ画像情報の受信が中断されることを防止することができる。
【００５８】
また、パソコン画像記録動作指示装置４２、及び複写画像記録動作指示装置４３が、プリンタモード、及び複写モードによって夫々画像記録動作を実行する場合で、画像をカセット記録紙３２に記録することが要求されたときに、オペレータに対して手差し記録紙３１を手差し給紙口１２から取り除くように指示するので（ステップＳ３）、オペレータは、プリンタモード及び複写モードによって画像記録動作ができないことを容易に知ることができる。
【００５９】
図４は、ＭＦＰ１において実行される第２実施例としての記録紙排紙処理のフローチャートである。
【００６０】
第２実施例としての本処理は、まず、図３のステップＳ１，Ｓ２と同様に、カセット記録紙３２の給紙要求があるか否かを判別し（ステップＳ１１）、カセット記録紙３２の給紙要求がない場合は本処理を終了し、給紙要求がある場合は、手差し記録紙３１が手差し給紙口１２に差し込まれているか否かを判別する（ステップＳ１２）。手差し記録紙３１が手差し給紙口１２に差し込まれている場合は、搬送ローラ１７を逆回転させて、手差し記録紙３１を手差し給紙口１２から排紙する（ステップＳ１３）。
【００６１】
次いで、手差し記録紙検知センサ１８がＯＦＦ状態になり、手差し記録紙３１の手差し給紙口１２からの排紙が完了すると（ステップＳ１４）、カセット給紙ローラ２０を駆動してカセット給紙口１３からカセット記録紙３２を給紙し（ステップＳ１５）、本処理を終了する。
【００６２】
一方、ステップＳ１２において、手差し記録紙３１が手差し給紙口１２に差し込まれていない場合は、ステップＳ１５以降の処理を実行する。
【００６３】
本処理によれば、ＦＡＸ受信画像記録動作指示装置４４が、ＦＡＸモードによって画像記録動作を実行する場合に、手差し記録紙３１が手差し給紙口１２に差し込まれていて、手差し記録紙３１が共通搬送路２２に存在していても、手差し記録紙３１を手差し給紙口１２から像形成することなく強制的に排出するので（ステップＳ１３）、上述の第１実施例と同様に、ＦＡＸ受信画像記録動作指示装置４４が、送信されてくるＦＡＸ画像情報を受信することができなくなり、ＦＡＸ画像情報の受信が中断されることを防止することができる。
【００６４】
図５は、ＭＦＰ１において実行される第３実施例としての記録紙排紙処理のフローチャートである。
【００６５】
第３実施例としての本処理は、まずＦＡＸ受信画像記録動作指示装置４４が、ＦＡＸ６３からＦＡＸ画像情報を受信したか否かを判別する（ステップＳ２１）。ＦＡＸ６３からＦＡＸ画像情報を受信していない場合は本処理を終了する。一方、ＦＡＸ画像情報を受信した場合は、図３のステップＳ２と同様に、手差し記録紙３１が手差し給紙口１２に差し込まれているか否かを判別する（ステップＳ２２）。手差し記録紙３１が手差し給紙口１２に差し込まれている場合は、オペレーションパネル４８に手差し記録紙３１を取り除く旨を示す情報を表示して、オペレータに手差し記録紙３１を手差し給紙口１２から取り除くよう指示し（ステップＳ２３）、本処理を終了する。
【００６６】
一方、ステップＳ２２において、手差し記録紙３１が手差し給紙口１２に差し込まれていない場合は、本処理を終了する。
【００６７】
本処理によれば、ＦＡＸ受信画像記録動作指示装置４４がＦＡＸモードによって画像記録動作を実行する場合に、手差し記録紙３１が共通搬送路２２に差し込まれていて、手差し記録紙３１が共通搬送路２２に存在していても、オペレータに対して手差し記録紙３１を手差し給紙口１２から取り除くように指示するので（ステップＳ２２）、代行受信メモリ４５の容量が足りなくなって受信した画像情報が記憶できなくなる前に手差し記録紙３１が共通搬送路２２から取り除かれるようにすることができる。
【００６８】
従って、手差し記録紙３１が共通搬送路２２に存在している状態が長く続き、代行受信メモリ４５が受信しているＦＡＸ画像情報の全てを蓄積することができず、ＦＡＸ受信画像記録動作指示装置４４が送信されてくるＦＡＸ画像情報を受信することができなくなり、ＦＡＸ画像情報の受信が中断されることを防止することができる。
【００６９】
図６は、ＭＦＰ１において実行される第４実施例としての記録紙排紙処理のフローチャートである。
【００７０】
第４実施例としての本処理は、図５のステップＳ２１，２２と同様に、まずＦＡＸ受信画像記録動作指示装置４４が、ＦＡＸ６３からＦＡＸ画像情報を受信したか否かを判別し（ステップＳ３１）、ＦＡＸ画像情報を受信していない場合は本処理を終了し、ＦＡＸ画像情報を受信した場合は、手差し記録紙３１が手差し給紙口１２に差し込まれているか否かを判別する（ステップＳ３２）。手差し記録紙３１が手差し給紙口１２に差し込まれている場合は、図４のステップＳ１３と同様に、搬送ローラ１７を逆回転させて、手差し記録紙３１を手差し給紙口１２から排出し（ステップＳ３３）、本処理を終了する。
【００７１】
一方、ステップＳ３１において、手差し記録紙３１が手差し給紙口１２に差し込まれていない場合は、本処理を終了する。
【００７２】
本処理によれば、ＦＡＸ受信画像記録動作指示装置４４がＦＡＸモードによって画像記録動作を実行する場合に、手差し記録紙３１が共通搬送路２２に差し込まれていて、手差し記録紙３１が共通搬送路２２に存在していても、手差し記録紙３１を手差し給紙口１２から強制的に排出するので（ステップＳ３３）、上述の第３実施例と同様に、ＦＡＸ受信画像記録動作指示装置４４が、送信されてくるＦＡＸ画像情報を受信することができなくなり、ＦＡＸ画像情報の受信が中断されることを防止することができる。
【００７３】
図７は、ＭＦＰ１において実行される第５実施例としての記録紙排紙処理のフローチャートである。
【００７４】
第５実施例としての本処理は、まずＦＡＸ受信画像記録動作指示装置４４が、ＦＡＸ６３からＦＡＸ画像情報を受信したか否かを判別する（ステップＳ４１）。ＦＡＸ６３からＦＡＸ画像情報を受信していない場合は本処理を終了する。一方、ＦＡＸ画像情報を受信した場合は、図３のステップＳ２と同様に、手差し記録紙３１が手差し給紙口１２に差し込まれているか否かを判別する（ステップＳ４２）。手差し記録紙３１が手差し給紙口１２に差し込まれていない場合は、本処理を終了する。一方、手差し記録紙３１が手差し給紙口１２に差し込まれている場合は、オペレーションパネル４８に手差し記録紙３１を取り除く旨を示す情報を表示して、オペレータに手差し記録紙３１を手差し給紙口１２から取り除くよう指示する（ステップＳ４３）。
【００７５】
次いで、メインコントローラ４８が備える図示しないタイマを始動させてタイムカウントを開始する（ステップＳ４４）。本実施の形態においては上記タイマはカウントダウンタイマであり、タイマ値は予め設定されているものとする。次いで、タイマが前述のタイマ値をカウントしてゼロとなり、タイムアウトとなったか否かを判別する（ステップＳ４５）。
【００７６】
タイムアウトとなっていない場合は、パソコン６１からプリンタモードによる画像記録（ＰＣプリント）の要求が有るか否かを判別する（ステップＳ４６）。ステップＳ４６における判別は、パソコン画像記録動作指示装置４２が、パソコン６１からプリンタモードによる画像記録の要求を受けたか否かによって行われる。ＰＣプリント要求がある場合は、本処理を終了する。
【００７７】
一方、ステップＳ４６において、ＰＣプリント要求がない場合は、複写モードによる画像記録（コピープリント）の要求が有るか否かを判別する（ステップＳ４７）。ステップＳ４７における判別は、複写画像記録動作指示装置４３において読取装置５１が原稿の読み取りを行っているか否かによって行われる。コピープリント要求が有る場合は、本処理を終了する。
【００７８】
一方、ステップＳ４７において、コピープリント要求がない場合は、ステップＳ４５に戻り、タイムアウトになるまでステップＳ４６，４７の処理を繰り返し実行する。
【００７９】
ＭＦＰにおいて、手差し給紙口に手差し記録紙がセットされている場合は、その後しばらくして手差し記録紙へのＰＣプリント又はコピープリントを行うのが通常の動作である。従って、上述のように、プリンタモードによるＰＣプリント要求があった場合（ステップＳ４６でＹＥＳ）、又は複写モードによるコピープリント要求があった場合は（ステップＳ４７でＹＥＳ）、後述するステップＳ４８以降の処理を実行することなく本処理を終了する。
【００８０】
一方、ステップＳ４５において、タイマが上述のカウント値をカウントしてタイムアウトとなった場合は、手差し記録紙３１が手差し給紙口１２から取り除かれたか否かを判別し（ステップＳ４８）、手差し記録紙３１が手差し給紙口１２から取り除かれていて手差し記録紙検知センサ１８がＯＦＦ状態の場合、本処理を終了する。一方、手差し記録紙３１が手差し給紙口１２から取り除かれていない場合は、搬送ローラ１７を逆回転させて、手差し記録紙３１を手差し給紙口１２から排紙し（ステップＳ４９）、オペレーションパネル４８に手差し記録紙３１を手差し給紙口１２から排紙した旨を示す情報を表示することにより、オペレータに手差し記録紙３１を手差し給紙口１２から排出した旨を報知し（ステップＳ５０）、本処理を終了する。
【００８１】
本処理によれば、ＦＡＸ受信画像記録動作指示装置４４が、ＦＡＸモードによって画像記録動作を実行する場合に、手差し記録紙３１が手差し給紙口１２に差し込まれていて、手差し記録紙３１が共通搬送路２２に存在しているときには、オペレータに対して手差し記録紙３１を手差し給紙口１２から取り除くように指示し（ステップＳ４３）、所定時間経過しても（ステップＳ４５でＹＥＳ）、ＰＣプリント要求及びコピープリント要求がなく（ステップＳ４６，４７でＮＯ）、且つ手差し記録紙３１が手差し給紙口１２から取り除かれない場合は（ステップＳ４８でＹＥＳ）、手差し記録紙３１を手差し給紙口１２から強制的に排出するので（ステップＳ４９）、代行受信メモリ４５の容量が足りなくなって受信した画像情報が記憶できなくなる前に、手差し記録紙３１が共通搬送路２２から確実に取り除かれるようにすることができる。
【００８２】
従って、手差し記録紙３１が共通搬送路２２に存在している状態が長く続き、代行受信メモリ４５が受信している画像情報の全てを蓄積することができず、ＦＡＸ受信画像記録動作指示装置４４が、送信されてくるＦＡＸ画像情報を受信することができなくなり、ＦＡＸ画像情報の受信が中断されることを防止することができる。
【００８３】
また、本処理によれば、ＰＣプリント要求又はコピープリント要求が有る場合は（ステップＳ４６，４７でＹＥＳ）、手差し記録紙３１を手差し給紙口１２から強制的に排出しないので、オペレータがプリンタモード又は複写モードによる手差し記録紙への画像記録を望んでいる場合に、プリンタモード又は複写モードによる手差し記録紙への画像記録がなされることなく強制的に手差し記録紙３１が手差し給紙口１２から排出されることを防止することができる。
【００８４】
また、本処理によれば、手差し記録紙３１を手差し給紙口１２から強制的に排出したときは（ステップＳ４９）、オペレータに手差し記録紙３１を排出した旨を報知するので（ステップＳ５０）、オペレータは手差し記録紙３１が排出されたことを知ることができ、オペレータが誤った操作をすること等を防止することができる。
【００８５】
図８は、ＭＦＰ１において実行される第６実施例としての記録紙排紙処理のフローチャートである。
【００８６】
本処理は、ステップＳ５１〜ステップＳ５９において、上述の図７の記録紙排紙処理におけるステップＳ４１〜ステップＳ４９と同じ処理を実行する。
【００８７】
ステップＳ６０において、オペレータに手差し記録紙３１の手差し給紙口１２からの排出動作中である旨を報知した後に、手差し記録紙検知センサ１８がＯＦＦ状態になり、手差し記録紙３１の手差し給紙口１２からの排紙が完了すると（ステップＳ６１）、ステップＳ５３にて行ったオペレータに対する手差し記録紙３１の手差し給紙口１２からの取り除き指示を解除して（ステップＳ６２）、本処理を終了する。
【００８８】
本処理によれば、上述の図７の処理と同様の効果を得ることができ、加えて、手差し記録紙３１の手差し給紙口１２からの排出を確認するので（ステップＳ６１）、確実に手差し記録紙３１を手差し給紙口１２から排紙することができる。
【００８９】
図９は、ＭＦＰ１において実行される第７実施例としての記録紙排紙処理のフローチャートである。
【００９０】
本処理は、ステップＳ７１〜ステップＳ７３において、図７のステップＳ４１〜Ｓ４３と同じ処理を実行する。次いで、メインコントローラ４６の図示しない記憶装置に記憶されているタイマ値Ｔを読み出し（ステップＳ７４）、この読み出したタイマ値Ｔを上述のタイマのカウント値にセットし（ステップＳ７５）、タイマを始動させてタイムカウントを開始する（ステップＳ７６）。尚、このタイマ値は、オペレータ等によって予め設定されており、タイマ値Ｔは複数の値を取り得る。
【００９１】
次いで、図７の処理のステップＳ４４と同様に、タイマがタイマ値Ｔをカウントしてゼロとなり、タイムアウトとなったか否かを判別する（ステップＳ７７）。以降ステップＳ７７〜ステップＳ８２において、図７のステップＳ４５〜ステップＳ５０と同じ処理を実行する。
【００９２】
本処理によれば、上述の図７の処理と同様の効果を得ることができると共に、タイマのカウント値を任意のタイマ値Ｔに設定することができるので（ステップＳ７４，Ｓ７５）、手差し記録紙３１を手差し給紙口１２から強制的に排出するまでの時間をオペレータが望む値に設定することができ、オペレータが望まない手差し記録紙３１の強制排出を抑制することができる。
【００９３】
図１０は、ＭＦＰ１において実行される第８実施例としての記録紙排紙処理のフローチャートである。
【００９４】
本処理は、ステップＳ９１〜Ｓ９３において、図７のステップＳ４１〜Ｓ４３と同じ処理を実行する。次いで、メインコントローラ４６の備える図示しない時計を参照して、現在の時刻を読み出し（ステップＳ９４）、現在の時刻が夜間であるか否かを判別する（ステップＳ９５）。現在の時刻が夜間であるか否かの判別は、例えば、現在の時刻が下記（１）式の条件を満たすか否かを判別することにより行い、下記（１）式の条件を満たせば現在時刻を夜間であると判別する。
【００９５】
午後１０時≦読み出した時刻≦午前３時  ・・・  （１）
次いで、ステップＳ９５の判別結果に基づいて、メインコントローラ４６の図示しない記憶装置に記憶されているタイマ値Ｔとしてのショートタイマ値Ｔ１及びロングタイマ値Ｔ２のいずれかのタイマ値を選択して読み出す。ショートタイマ値Ｔ１は短い時間に設定されており、ロングタイマ値Ｔ２はショートタイマ値Ｔ１より長い時間に設定されている（Ｔ２＞Ｔ１）。具体的には、ステップＳ９５で現在時刻が夜間である場合は、ショートタイマ値Ｔ１を読み出し（ステップＳ９６）、一方、ステップＳ９５で現在時刻が夜間でない場合は、ロングタイマ値Ｔ２を読み出す（ステップＳ９７）。
【００９６】
次いで、ステップＳ９６又はステップＳ９７において読み出したショートタイマ値Ｔ１又はロングタイマ値Ｔ２を、上述のタイマ（図７のステップＳ４４）のタイマ値に設定し（ステップＳ９８）、タイマを始動させてタイムカウントを開始する（ステップＳ９９）。次いで、ステップＳ１００〜ステップＳ１０５において、図９のステップＳ７７〜ステップＳ８２と同様に、図７のステップＳ４５〜ステップＳ５０と同じ処理を実行する。
【００９７】
本処理によれば、上述の図７の処理と同様の効果を得ることができると共に、夜間であるときはタイマ値をショートタイマ値Ｔ１に設定し（ステップＳ９５，Ｓ９６）、夜間でないときはタイマ値をショートタイマ値Ｔ１より長いロングタイマ値Ｔ２に設定するので（ステップＳ９５，Ｓ９７）、プリンタモードによるパソコン画像の画像記録や、複写モードによる原稿画像の画像記録が行なわれる確率が低い夜間では、手差し給紙口１２から手差し記録紙３１を強制排出するまでの猶予時間をより短く設定することにより、ＦＡＸモードによる速やかなＦＡＸ画像の画像記録を行うことができる。
【００９８】
図１１は、ＭＦＰ１において実行される第９実施例としての記録紙排紙処理のフローチャートである。
【００９９】
第９実施例としての本処理は、まずＦＡＸ受信画像記録動作指示装置４４が、ＦＡＸ６３からＦＡＸ画像情報を受信したか否かを判別する（ステップＳ１１１）。ＦＡＸ６３からＦＡＸ画像情報を受信していない場合は本処理を終了する。一方、ＦＡＸ画像情報を受信した場合は、図３のステップＳ２と同様に、手差し記録紙３１が手差し給紙口１２に差し込まれているか否かを判別する（ステップＳ１１２）。手差し記録紙３１が手差し給紙口１２に差し込まれている場合は、後述するステップＳ１１８以降の処理を実行する。一方、手差し記録紙３１が手差し給紙口１２に差し込まれていない場合は、ＦＡＸ受信画像記録動作指示装置４４にＦＡＸ受信画像記録動作の指示をする（ステップＳ１１３）。
【０１００】
次いで、ＦＡＸ受信画像記録動作指示装置４４がＦＡＸ６３から受信したＦＡＸ画像情報があるか否かを判別し（ステップＳ１１４）、ＦＡＸ受信画像情報がない場合は、本処理を終了する。一方、ＦＡＸ受信画像情報がある場合は、図３のステップＳ２と同様に、手差し記録紙３１が手差し給紙口１２に差し込まれているか否かを判別する（ステップＳ１１５）。手差し記録紙３１が手差し給紙口１２に差し込まれていない場合は、記録装置４７に対してカセット給紙口１３からカセット記録紙３２の給紙をするよう指示して（ステップＳ１１６）、カセット給紙ローラ２０を駆動してカセット給紙口１３からカセット記録紙３２を給紙する。次いで、ＦＡＸ受信画像情報に対応するＦＡＸ受信画像を給紙されたカセット記録紙３２に記録するように指示する（ステップＳ１１７）。ステップＳ１１７の指示により、記録装置４７において、感光ドラム１５への画像データの書き込み動作等が開始される。
【０１０１】
上述の動作によって、１ページ目のＦＡＸ受信画像の記録が終了したら、ステップＳ１１４に戻り、ステップＳ１１４において次のページに対応するＦＡＸ受信画像情報があるか否かを判別し、最終ページに対応するＦＡＸ受信画像が記録されるまでステップＳ１１４〜ステップＳ１１７の処理を繰り返し実行する。上述のステップＳ１１４〜ステップＳ１１７の処理は、後述するようにＦＡＸ画像をカセット記録紙３２に記録中に手差し記録紙３１が手差し給紙口１２にセットされた場合の対処のための処理である。
【０１０２】
一方、ステップＳ１１５において、手差し記録紙３１が手差し給紙口１２に差し込まれている場合は、ステップＳ１１６，Ｓ１１７に進まず、即ち、ＦＡＸ受信画像記録を中止して、オペレーションパネル４８に手差し記録紙３１を取り除く旨を示す情報を表示して、オペレータに手差し記録紙３１を手差し給紙口１２から取り除くよう指示する（ステップＳ１１８）。次いで、手差し給紙口１２から手差し記録紙３１が取り除かれるまでＦＡＸ受信画像情報を代行受信メモリ４５に蓄え（ステップＳ１１９及びステップＳ１２０）、手差し給紙口１２から手差し記録紙３１が取り除かれたら（ステップＳ１１９でＮＯ）、ステップＳ１１８にて行ったオペレータに対する手差し記録紙３１の手差し給紙口１２からの取り除き指示を解除して（ステップＳ１２１）、ステップＳ１１４に戻り、ステップＳ１１５において中止されたＦＡＸ受信画像情報のＦＡＸ受信画像記録を再開する。
【０１０３】
上述の処理によって、ステップＳ１１７において、最終ページのＦＡＸ画像情報のＦＡＸ画像を記録すると、ステップＳ１１４において受信ＦＡＸ画像情報がないので、本処理を終了する。
【０１０４】
本処理によれば、ＦＡＸ受信画像記録動作指示装置４４がＦＡＸモードによって画像記録動作を実行する場合に、ＦＡＸ画像１ページ毎に手差し記録紙３１が共通搬送路２２に存在しているか否かを判別し（ステップＳ１１５）、手差し記録紙３１が存在する場合は、オペレータに対して手差し記録紙３１を手差し給紙口１２から取り除くように指示し、取り除かれるまで次のページのＦＡＸ画像を記録しないので、オペレータに手差し記録紙３１が手差し給紙口１２に差し込まれていることを確実に認識させ、代行受信メモリ４５の容量が足りなくなって受信した画像情報が記憶できなくなることを防止することができる。
【０１０５】
従って、手差し記録紙３１が共通搬送路２２に存在している状態が長く続き、代行受信メモリ４５が受信している画像情報の全てを蓄積することができず、ＦＡＸ受信画像記録動作指示装置４４がＦＡＸ画像情報の受信が中断されることを防止することができる。
【０１０６】
図１２は、ＭＦＰ１において実行される第１０実施例としての記録紙排紙処理のフローチャートである。
【０１０７】
本処理は、ステップＳ１３１〜ステップＳ１３８において、上述の図１１の記録紙排紙処理におけるステップＳ１１１〜ステップＳ１１８と同じ処理を実行する。次いで、ステップＳ１３９において、ＦＡＸ受信画像情報を代行受信メモリ４５に蓄え、上述のタイマを始動させてタイムカウントを開始し（ステップＳ１４０）、タイマがタイムアウトとなったか否かを判別する（ステップＳ１４１）。次いで、タイマがタイムアウトとなるまで、手差し記録紙３１が手差し給紙口１２から取り除かれたか否かを判別し（ステップＳ１４２）、手差し記録紙３１が手差し給紙口１２から取り除かれるまでステップＳ１４１，Ｓ１４２の処理を繰り返す。一方、手差し記録紙３１が手差し給紙口１２から取り除かれた場合は、ステップＳ１３４に戻る。
【０１０８】
一方、ステップＳ１４１でタイムアウトとなった場合は、搬送ローラ１７を逆回転させて、手差し記録紙３１を手差し給紙口１２から排紙し（ステップＳ１４３）、手差し記録紙検知センサ１８がＯＦＦ状態になり、手差し記録紙３１の手差し給紙口１２からの排紙が完了すると（ステップＳ１４４）、ステップＳ１２８にて行ったオペレータに対する手差し記録紙３１の手差し給紙口１２からの取り除き指示を解除して（ステップＳ１４５、ステップＳ１３４に戻る。
【０１０９】
本処理によれば、上述の第９実施例と同様の効果を得ることができると共に、手差し記録紙３１が手差し給紙口１２にセットされている場合は、所定時間経過するまで、手差し記録紙３１を手差し給紙口１２から強制的に排出しないので（ステップＳ１４０，Ｓ１４１，Ｓ１４３）、オペレータがプリンタモード又は複写モードによる手差し記録紙への画像記録を望んでいる場合に、プリンタモード又は複写モードによる手差し記録紙への画像記録がなされることなく強制的に手差し記録紙３１が手差し給紙口１２から排出されることを抑制することができる。
【０１１０】
また、本ＭＦＰ１は、上述の図３〜図１２の記録紙排紙処理を有効、無効にすることができる図示しない処理有効・無効スイッチを有しており、この処理有効・無効スイッチがオンになると、図３〜図１２の記録紙排紙処理が有効になり、この処理有効・無効スイッチがオフになると、図３〜図１２の記録紙排紙処理が無効になる。
【０１１１】
即ち、ＭＦＰ１のメインコントローラ４６において、図３〜図１２の記録紙排紙処理を有効或いは無効にする、図１３に示す記録紙排紙処理有効・無効確認処理が実行され、まず、ステップＳ１５１において、上述の処理有効・無効スイッチがオンであるか否かを判別し、オンであるときは、ステップＳ１５２〜ステップＳ１６１において図３〜図１２の記録紙排紙処理を順次実行する。一方、ステップＳ１５１において、上述の処理有効・無効スイッチがオフ状態であるときは、図３〜図１２の記録紙排紙処理を全て実行しない。
【０１１２】
また、本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１１３】
この場合、記憶媒体から読み出されたプログラムコード自体が前述した実施の形態の機能を実現することになり、そのプログラムコードを記憶した記憶媒体は本発明を構成することになる。
【０１１４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１１５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【０１１６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【０１１７】
【図１】本発明の実施の形態に係る記録装置の概略構成を示す断面図である。
【図２】図１の記録装置としてのＭＦＰの電気的構成の概略を示すブロック図である。
【図３】ＭＦＰにおいて実行される第１実施例としての記録紙排紙処理のフローチャートである。
【図４】ＭＦＰにおいて実行される第２実施例としての記録紙排紙処理のフローチャートである。
【図５】ＭＦＰにおいて実行される第３実施例としての記録紙排紙処理のフローチャートである。
【図６】ＭＦＰにおいて実行される第４実施例としての記録紙排紙処理のフローチャートである。
【図７】ＭＦＰにおいて実行される第５実施例としての記録紙排紙処理のフローチャートである。
【図８】ＭＦＰにおいて実行される第６実施例としての記録紙排紙処理のフローチャートである。
【図９】ＭＦＰにおいて実行される第７実施例としての記録紙排紙処理のフローチャートである。
【図１０】ＭＦＰにおいて実行される第８実施例としての記録紙排紙処理のフローチャートである。
【図１１】ＭＦＰにおいて実行される第９実施例としての記録紙排紙処理のフローチャートである。
【図１２】ＭＦＰにおいて実行される第１０実施例としての記録紙排紙処理のフローチャートである。
【図１３】ＭＦＰにおいて実行される記録紙排紙処理有効・無効確認処理のフローチャートである。
【符号の説明】
【０１１８】
１１  本体
１２  手差し給紙口
１３  カセット給紙口
１４  開口部
１５  感光ドラム
１６  転写ローラ
１７  搬送ローラ
１８  手差し記録紙検知センサ
１９  垂直同期検知センサ
２０  カセット給紙ローラ
２１  給紙路
２２  共通搬送路
２３  収容カセット記録紙検出センサ
３１  手差し記録紙
３２  カセット記録紙
４２  パソコン画像記録動作指示装置
４３  複写受信画像記録動作指示装置
４４  ＦＡＸ受信画像記録動作指示装置
４５  代行受信メモリ
４６  メインコントローラ
４７  記録装置
４８  オペレーションパネル
５１  読取装置
【図１】
2006140851.tif 000003
【図２】
2006140851.tif 000004
【図３】
2006140851.tif 000005
【図４】
2006140851.tif 000006
【図５】
2006140851.tif 000007
【図６】
2006140851.tif 000008
【図７】
2006140851.tif 000009
【図８】
2006140851.tif 000010
【図９】
2006140851.tif 000011
【図１０】
2006140851.tif 000012
【図１１】
2006140851.tif 000013
【図１２】
2006140851.tif 000014
【図１３】
2006140851.tif 000015